(57)【要約】  第一視認者がディスプレイの少なくとも一部分を視覚的に認識し得ることを表す情報、および、第二視認者が該ディスプレイの少なくとも一部分を視覚的に認識し得ることを表す情報を受信する段階と、該第一視認者に対して関連付けられた第一視認者用個人的コンテンツを決定する段階と、該第二視認者が該ディスプレイの少なくとも一部分を視覚的に認識し得ないことを表す情報を受信する段階と、少なくとも部分的に、該第二視認者が該ディスプレイの少なくとも一部分を視覚的に認識し得ないことに基づき、該第一視認者用個人的コンテンツの表示を惹起する段階と、該第二視認者が該ディスプレイの少なくとも一部分を視覚的に認識し得ることを表す情報を受信する段階と、少なくとも部分的に、該第二視認者が該ディスプレイの少なくとも一部分を視覚的に認識し得ることに基づき、該第一視認者用個人的コンテンツの表示を終結する段階と、を具備する方法が開示される。
2018507432.tif 000002
【特許請求の範囲】
【請求項１】
第一視認者がディスプレイの少なくとも一部分を視覚的に認識し得ることを表す情報、および、第二視認者が該ディスプレイの少なくとも一部分を視覚的に認識し得ることを表す情報を受信する段階と、
該第一視認者に対して関連付けられた第一視認者用個人的コンテンツを決定する段階と、
該第二視認者が該ディスプレイの少なくとも一部分を視覚的に認識し得ないことを表す情報を受信する段階と、
少なくとも部分的に、該第二視認者が該ディスプレイの少なくとも一部分を視覚的に認識し得ないことに基づき、該第一視認者用個人的コンテンツの表示を惹起する段階と、
該第二視認者が該ディスプレイの少なくとも一部分を視覚的に認識し得ることを表す情報を受信する段階と、
少なくとも部分的に、該第二視認者が該ディスプレイの少なくとも一部分を視覚的に認識し得ることに基づき、該第一視認者用個人的コンテンツの表示を終結する段階と、
を具備する方法。
【請求項２】
該第一視認者用個人的コンテンツの表示を惹起する段階は、更に、該第一視認者が該ディスプレイの少なくとも一部分を視覚的に認識し得ることに基づく、請求項１に記載の方法。
【請求項３】
少なくとも部分的に、該第二視認者が該ディスプレイの少なくとも一部分を視覚的に認識し得ることに基づき、第一視認者用個人的コンテンツの表示を排除する段階、を更に具備する、請求項２に記載の方法。
【請求項４】
非個人的コンテンツの表示を惹起する段階、を更に具備する、請求項１〜３のいずれか一項に記載の方法。
【請求項５】
該第二視認者が該ディスプレイの少なくとも一部分を視覚的に認識し得ないことを表す情報は、該第二視認者が該ディスプレイの特定部分を視覚的に認識し得ないことを表す情報を具備し、且つ、該第一視認者用個人的コンテンツの表示を惹起する段階は、該第一視認者用個人的コンテンツが該ディスプレイの該特定部分内に表示される如く実施される、請求項１〜４のいずれか一項に記載の方法。
【請求項６】
該第二視認者が該ディスプレイの少なくとも一部分を視覚的に認識し得ることを表す情報は、該第二視認者が該ディスプレイの該特定部分を視覚的に認識し得ることを表す情報を具備し、且つ、該第一視認者用個人的コンテンツの表示を終結する段階は、少なくとも部分的に、該第二視認者が該ディスプレイの該特定部分を視覚的に認識し得ることに基づく、請求項５に記載の方法。
【請求項７】
該第二視認者が該ディスプレイの少なくとも一部分を視覚的に認識し得ないことを表す情報は、少なくとも一つのカメラ・モジュールから受信された視覚的情報である、請求項１〜６のいずれか一項に記載の方法。
【請求項８】
該少なくとも一つのカメラ・モジュールは、該ディスプレイにより指向される方向と共通である方向を向く、請求項７に記載の方法。
【請求項９】
該第二視認者が該ディスプレイの少なくとも一部分を視覚的に認識し得ないことを表す情報は、少なくとも一つの眼電位センサから受信された眼電位情報である、請求項１〜８のいずれか一項に記載の方法。
【請求項１０】
該眼電位センサは、該第二視認者により装着されたウェアラブル装置により構成され、且つ、該眼電位センサから該眼電位情報を受信する段階は、該ウェアラブル装置から該眼電位情報を受信する段階を具備する、請求項９に記載の方法。
【請求項１１】
該第二視認者が該ディスプレイの少なくとも一部分を視覚的に認識し得ないことを表す情報は、該第二視認者が両目を閉じていることを表す情報を具備する、請求項１〜１０のいずれか一項に記載の方法。
【請求項１２】
該第二視認者が該ディスプレイの少なくとも一部分を視覚的に認識し得ないことを表す情報は、該第二視認者が衝動性眼球運動を行いつつあることを表す情報を具備する、請求項１〜１１のいずれか一項に記載の方法。
【請求項１３】
請求項１〜１２のいずれか一項に記載の方法を実施する手段を具備する装置。
【請求項１４】
該方法を実施する該手段は、少なくとも一つのプロセッサおよび少なくとも一つのメモリを具備し、該メモリは、実行されたときに該装置に請求項１〜１２のいずれか一項に記載の方法を実施させる機械可読命令を具備する、請求項１３に記載の装置。
【請求項１５】
実行されたときに請求項１〜１２のいずれか一項に記載の方法を実施する命令を具備する、少なくとも一つのコンピュータ可読媒体。
【発明の詳細な説明】
【技術分野】
【０００１】
本出願は、概略的に、個人的コンテンツ(private content)の表示法に関する。
【背景技術】
【０００２】
我々の社会において、電子装置は益々普及して広がる傾向にあり、人々は、コンテンツを視認すべく電子装置を益々利用している。多くの視認者(viewer)は、特定のコンテンツの視認に関連する目的で電子装置に依存し得る。その故に、特定のコンテンツを直感的かつ単純な様式で視認することを電子装置が促進する如く、電子装置を構成することが好適であり得る。
【発明の概要】
【０００３】
本発明の種々の見地の実例は各請求項中に示される。
【０００４】
一つ以上の実施形態は、第一視認者がディスプレイの少なくとも一部分を視覚的に認識し得ることを表す情報、および、第二視認者が該ディスプレイの少なくとも一部分を視覚的に認識し得ることを表す情報を受信し、該第一視認者に対して関連付けられた第一視認者用個人的コンテンツを決定し、該第二視認者が該ディスプレイの少なくとも一部分を視覚的に認識し得ないことを表す情報を受信し、少なくとも部分的に、該第二視認者が該ディスプレイの少なくとも一部分を視覚的に認識し得ないことに基づき、該第一視認者用個人的コンテンツの表示を惹起し、該第二視認者が該ディスプレイの少なくとも一部分を視覚的に認識し得ることを表す情報を受信し、且つ、少なくとも部分的に、該第二視認者が該ディスプレイの少なくとも一部分を視覚的に認識し得ることに基づき、該第一視認者用個人的コンテンツの表示を終結するための装置、コンピュータ可読媒体、持続的コンピュータ記憶媒体、コンピュータ・プログラム製品、および／または、方法を提供し得る。
【０００５】
一つ以上の実施形態は、第一視認者がディスプレイの少なくとも一部分を視覚的に認識し得ることを表す情報、および、第二視認者が該ディスプレイの少なくとも一部分を視覚的に認識し得ることを表す情報を受信する手段、該第一視認者に対して関連付けられた第一視認者用個人的コンテンツを決定する手段、該第二視認者が該ディスプレイの少なくとも一部分を視覚的に認識し得ないことを表す情報を受信する手段、少なくとも部分的に、該第二視認者が該ディスプレイの少なくとも一部分を視覚的に認識し得ないことに基づき、該第一視認者用個人的コンテンツの表示を惹起する手段、該第二視認者が該ディスプレイの少なくとも一部分を視覚的に認識し得ることを表す情報を受信する手段、および、少なくとも部分的に、該第二視認者が該ディスプレイの少なくとも一部分を視覚的に認識し得ることに基づき、該第一視認者用個人的コンテンツの表示を終結する手段、を有する装置、コンピュータ可読媒体、コンピュータ・プログラム製品、および／または、持続的コンピュータ記憶媒体を提供し得る。
【０００６】
少なくとも一つのプロセッサと少なくとも一つのメモリとを備えて成る装置であって、該メモリは、実行されたときに該装置に、第一視認者がディスプレイの少なくとも一部分を視覚的に認識し得ることを表す情報、および、第二視認者が該ディスプレイの少なくとも一部分を視覚的に認識し得ることを表す情報の受信、該第一視認者に対して関連付けられた第一視認者用個人的コンテンツの決定、該第二視認者が該ディスプレイの少なくとも一部分を視覚的に認識し得ないことを表す情報の受信、少なくとも部分的に、該第二視認者が該ディスプレイの少なくとも一部分を視覚的に認識し得ないことに基づく、該第一視認者用個人的コンテンツの表示の惹起、該第二視認者が該ディスプレイの少なくとも一部分を視覚的に認識し得ることを表す情報の受信、および、少なくとも部分的に、該第二視認者が該ディスプレイの少なくとも一部分を視覚的に認識し得ることに基づく、該第一視認者用個人的コンテンツの表示の終結、を実施させる機械可読命令を備えて成る、装置。
【０００７】
少なくとも一つの例示的実施形態において、該第二視認者が該ディスプレイの少なくとも一部分を視覚的に認識し得ないことを表す情報は、該第二視認者が該ディスプレイの特定部分を視覚的に認識し得ないことを表す情報を備えて成り、且つ、該第一視認者用個人的コンテンツの表示を惹起する段階は、該第一視認者用個人的コンテンツが該ディスプレイの該特定部分内に表示される如く実施される。
【０００８】
少なくとも一つの例示的実施形態において、該第二視認者が該ディスプレイの少なくとも一部分を視覚的に認識し得ることを表す情報は、該第二視認者が該ディスプレイの該特定部分を視覚的に認識し得ることを表す情報を備えて成り、且つ、該第一視認者用個人的コンテンツの表示を終結する段階は、少なくとも部分的に、該第二視認者が該ディスプレイの該特定部分を視覚的に認識し得ることに基づく。
【０００９】
少なくとも一つの例示的実施形態において、該第一視認者が該ディスプレイの少なくとも一部分を視覚的に認識し得ることを表す情報は、少なくとも一つのカメラ・モジュールからの視覚的情報である。
【００１０】
少なくとも一つの例示的実施形態において、該少なくとも一つのカメラ・モジュールは、該ディスプレイにより指向される方向と共通である方向を向く。
【００１１】
少なくとも一つの例示的実施形態において、該第一視認者が該ディスプレイの少なくとも一部分を視覚的に認識し得ることを表す情報は、少なくとも一つの眼電位センサから受信された眼電位情報である。
【００１２】
少なくとも一つの例示的実施形態において、該眼電位センサは、該第一視認者により装着されたウェアラブル装置により構成され、且つ、該眼電位センサから該眼電位情報を受信する段階は、該ウェアラブル装置から該眼電位情報を受信する段階を備えて成る。
【００１３】
少なくとも一つの例示的実施形態において、該第二視認者が該ディスプレイの少なくとも一部分を視覚的に認識し得ることを表す情報は、少なくとも一つのカメラ・モジュールから受信された視覚的情報である。
【００１４】
少なくとも一つの例示的実施形態において、該第二視認者が該ディスプレイの少なくとも一部分を視覚的に認識し得ることを表す情報は、少なくとも一つの眼電位センサから受信された眼電位情報である。
【００１５】
少なくとも一つの例示的実施形態において、該眼電位センサは、該第二視認者により装着されたウェアラブル装置により構成され、且つ、該眼電位センサから該眼電位情報を受信する段階は、該ウェアラブル装置から該眼電位情報を受信する段階を備えて成る。
【００１６】
少なくとも一つの例示的実施形態において、該第一視認者用個人的コンテンツは、該第一視認者に対する表示に対し、且つ、該第二視認者に対する表示の回避に対して指定されたコンテンツである。
【００１７】
少なくとも一つの例示的実施形態において、該第一視認者に対して関連付けられた第一視認者用個人的コンテンツを決定する段階は、少なくとも部分的に、該第一視認者が該ディスプレイの少なくとも一部分を視覚的に認識し得ることを表す情報に基づき、該第一視認者の第一視認者固有性を決定する段階と、少なくとも部分的に、該第一視認者固有性に基づいて第一視認者用個人的コンテンツを決定する段階と、を備えて成る。
【００１８】
少なくとも一つの例示的実施形態において、該第一視認者用個人的コンテンツを決定する段階は、コンテンツを受信する段階と、少なくとも部分的に、該第一視認者固有性に基づき、該コンテンツが該第一視認者用個人的コンテンツであると決定する段階と、を備えて成る。
【００１９】
少なくとも一つの例示的実施形態において、該コンテンツが第一視認者用個人的コンテンツであると決定する段階は、該第一視認者固有性に対して関連付けられたコンテンツ守秘方針を受信する段階を備えて成り、該コンテンツが該第一視認者用個人的コンテンツであると決定する段階は、少なくとも部分的に、該コンテンツ守秘方針に基づく。
【００２０】
少なくとも一つの例示的実施形態において、該コンテンツ守秘方針は、特定のコンテンツを個人的コンテンツとして指定するデータ構造である。
【００２１】
少なくとも一つの例示的実施形態において、該第二視認者が該ディスプレイの少なくとも一部分を視覚的に認識し得ないことを表す情報は、少なくとも一つのカメラ・モジュールから受信された視覚的情報である。
【００２２】
少なくとも一つの例示的実施形態において、該第二視認者が該ディスプレイの少なくとも一部分を視覚的に認識し得ないことを表す情報は、少なくとも一つの眼電位センサから受信された眼電位情報である。
【００２３】
一つ以上の例示的実施形態は、少なくとも部分的に、該第二視認者が該ディスプレイの少なくとも一部分を視覚的に認識し得ないことを表す情報に基づき、該第二視認者が該ディスプレイの少なくとも一部分を視覚的に認識し得ないと決定する段階を更に実施する。
【００２４】
少なくとも一つの例示的実施形態において、該第二視認者が該ディスプレイの少なくとも一部分を視覚的に認識し得ないことを表す情報は、該第二視認者が両目を閉じていることを表す情報を備えて成る。
【００２５】
少なくとも一つの例示的実施形態において、該第二視認者が該ディスプレイの少なくとも一部分を視覚的に認識し得ないと決定する段階は、少なくとも部分的に、該第二視認者が両目を閉じていることを表す情報に基づき、該第二視認者が両目を閉じていると決定する段階を備えて成る。
【００２６】
少なくとも一つの例示的実施形態において、該第二視認者が該ディスプレイの少なくとも一部分を視覚的に認識し得ないことを表す情報は、該第二視認者が衝動性眼球運動を行いつつあることを表す情報を備えて成る。
【００２７】
少なくとも一つの例示的実施形態において、該第二視認者が該ディスプレイの少なくとも一部分を視覚的に認識し得ないと決定する段階は、少なくとも部分的に、該第二視認者が衝動性眼球運動を行いつつあることを表す情報に基づき、該第二視認者が衝動性眼球運動を実施しつつあると決定する段階を備えて成る。
【００２８】
少なくとも一つの例示的実施形態において、該第二視認者が該ディスプレイの少なくとも一部分を視覚的に認識し得ないことを表す情報は、該第二視認者が不在であることを表す情報を備えて成る。
【００２９】
少なくとも一つの例示的実施形態において、該第二視認者が該ディスプレイの少なくとも一部分を視覚的に認識し得ないと決定する段階は、少なくとも部分的に、該第二視認者が不在であることを表す情報に基づき、該第二視認者が不在であると決定する段階を備えて成る。
【００３０】
一つ以上の例示的実施形態は更に、少なくとも部分的に、該第二視認者が該ディスプレイの少なくとも一部分を視覚的に認識し得ることを表す情報に基づき、該第二視認者が該ディスプレイの少なくとも一部分を視覚的に認識し得ると決定する段階を備えて成る。
【００３１】
少なくとも一つの例示的実施形態において、該第二視認者が該ディスプレイの少なくとも一部分を視覚的に認識し得ることを表す情報は、該第二視認者が両目を開いていることを表す情報を備えて成る。
【００３２】
少なくとも一つの例示的実施形態において、該第二視認者が該ディスプレイの少なくとも一部分を視覚的に認識し得ると決定する段階は、少なくとも部分的に、該第二視認者が両目を開いていることを表す情報に基づき、該第二視認者が両目を開いていると決定する段階を備えて成る。
【００３３】
少なくとも一つの例示的実施形態において、該第二視認者が該ディスプレイの少なくとも一部分を視覚的に認識し得ることを表す情報は、該第二視認者が衝動性眼球運動を実施しないことを表す情報を備えて成る。
【００３４】
少なくとも一つの例示的実施形態において、該第二視認者が該ディスプレイの少なくとも一部分を視覚的に認識し得ると決定する段階は、少なくとも部分的に、該第二視認者が衝動性眼球運動を実施しないことを表す情報に基づき、第二視認者が衝動性眼球運動を実施しないと決定する段階を備えて成る。
【００３５】
少なくとも一つの例示的実施形態において、該第二視認者が該ディスプレイの少なくとも一部分を視覚的に認識し得ることを表す情報は、該第二視認者が在席していることを表す情報を備えて成る。
【００３６】
少なくとも一つの例示的実施形態において、該第二視認者が該ディスプレイの少なくとも一部分を視覚的に認識し得ると決定する段階は、少なくとも部分的に、該第二視認者が在席していることを表す情報に基づき、第二視認者が在席していると決定する段階を備えて成る。
【００３７】
少なくとも一つの例示的実施形態において、該第一視認者用個人的コンテンツの表示を惹起する段階は、更に、該第一視認者が該ディスプレイの少なくとも一部分を視覚的に認識し得ることに基づく。
【００３８】
一つ以上の例示的実施形態は更に、該第一視認者が該ディスプレイの少なくとも一部分を視覚的に認識し得ないことを表す情報の受信と、少なくとも部分的に、該第一視認者が該ディスプレイの少なくとも一部分を視覚的に認識し得ないことに基づき、該第一視認者用個人的コンテンツの表示の排除と、を実施する。
【００３９】
一つ以上の例示的実施形態は更に、少なくとも部分的に、該第二視認者が該ディスプレイの少なくとも一部分を視覚的に認識し得ることに基づき、第一視認者用個人的コンテンツの表示の排除を実施する。
【００４０】
一つ以上の例示的実施形態は、更に、非個人的コンテンツの表示の惹起を実施する。
【００４１】
少なくとも一つの例示的実施形態において、該第一視認者用個人的コンテンツの表示を惹起する段階は、該第一視認者用個人的コンテンツが、該非個人的コンテンツの少なくとも一部分に重なり合う如く実施される。
【００４２】
少なくとも一つの例示的実施形態において、該第一視認者用個人的コンテンツの表示を終結する段階は、該第一視認者用個人的コンテンツが該非個人的コンテンツに重なり合わない様に実施される。
【００４３】
少なくとも一つの例示的実施形態において、該第一視認者用個人的コンテンツの表示を終結する段階は、該非個人的コンテンツが表示され続ける如く実施される。
【００４４】
一つ以上の例示的実施形態は更に、該第二視認者に対して関連付けられた第二視認者用個人的コンテンツの決定、該第一視認者が該ディスプレイの少なくとも一部分を視覚的に認識し得ないことを表す情報の受信、少なくとも部分的に、該第一視認者が該ディスプレイの少なくとも一部分を視覚的に認識し得ないことに基づく、該第二視認者用個人的コンテンツの表示の惹起、該第一視認者が該ディスプレイの少なくとも一部分を視覚的に認識し得ることを表す情報の受信、および、少なくとも部分的に、該第一視認者が該ディスプレイの少なくとも一部分を視覚的に認識し得ることに基づく、該第二視認者用個人的コンテンツの表示の終結、を実施する。
【００４５】
少なくとも一つの例示的実施形態において、該第二視認者用個人的コンテンツの表示の惹起は更に、少なくとも部分的に、該第二視認者が該ディスプレイの少なくとも一部分を視覚的に認識し得ることに基づく。
【００４６】
一つ以上の例示的実施形態は更に、該第二視認者が該ディスプレイの少なくとも一部分を視覚的に認識し得ないことを表す情報の受信、および、少なくとも部分的に、該第二視認者が該ディスプレイの少なくとも一部分を視覚的に認識し得ないことに基づく、該第二視認者用個人的コンテンツの表示の排除、を実施する。
【図面の簡単な説明】
【００４７】
本発明の各実施形態の更に完全な理解のために、次に、添付図面に関して考慮される以下の説明に対する参照が為される。
【００４８】
【図１】図１は、少なくとも一つの例示的実施形態に係る装置を示すブロック図である。
【図２Ａ】図２Ａ〜図２Ｄは、少なくとも一つの例示的実施形態に係るコンテンツの表示法を例示する概略図である。
【図２Ｂ】図２Ａ〜図２Ｄは、少なくとも一つの例示的実施形態に係るコンテンツの表示法を例示する概略図である。
【図２Ｃ】図２Ａ〜図２Ｄは、少なくとも一つの例示的実施形態に係るコンテンツの表示法を例示する概略図である。
【図２Ｄ】図２Ａ〜図２Ｄは、少なくとも一つの例示的実施形態に係るコンテンツの表示法を例示する概略図である。
【図３】図３は、少なくとも一つの例示的実施形態に係る衝動性眼球運動を例示する概略図である。
【図４Ａ】図４Ａ〜図４Ｂは、少なくとも一つの例示的実施形態に係る視認者情報の受信を例示する概略図である。
【図４Ｂ】図４Ａ〜図４Ｂは、少なくとも一つの例示的実施形態に係る視認者情報の受信を例示する概略図である。
【図５】図５は、少なくとも一つの例示的実施形態に係る個人的コンテンツの表示法に関連する動作を例示するフローチャートである。
【図６】図６は、少なくとも一つの例示的実施形態に係る個人的コンテンツの表示の排除に関連する動作を例示するフローチャートである。
【図７】図７は、少なくとも一つの例示的実施形態に係る非個人的コンテンツの表示法に関連する動作を例示するフローチャートである。
【図８】図８は、少なくとも一つの例示的実施形態に係る個人的コンテンツの表示法に関連する動作を例示するフローチャートである。
【発明を実施するための形態】
【００４９】
本発明の実施形態、および、その可能的な利点は、図面の図１〜図８を参照することにより理解される。
【００５０】
次に、以下においては、全てではないが幾つかの実施形態が示される添付図面を参照して幾つかの実施形態が更に十分に記述される。本発明の種々の実施形態は、多くの異なる形態で具現され得ると共に、本明細書中に示された実施形態に限定されると解釈されるべきでなく、寧ろ、これらの実施形態は、本開示内容が、該当する法的要件を満足するために提供される。全体に亙り、同様の番号は同様の要素を指している。本明細書中で用いられる如く、“データ”、“コンテンツ”、“情報”という語句、および、同様の語句は、本発明の実施形態に従って送信、受信および／または記憶され得るデータを指すべく互換的に使用され得る。故に、一切の斯かる語句の使用は、本発明の実施形態の精神および有効範囲を制限すると解釈されるべきでない。
【００５１】
付加的に、本明細書中で用いられる如く、“回路機構”という語句は、(a)(たとえば、アナログ回路機構および／またはデジタル回路機構における実施形態などの)ハードウェアのみの回路実施形態、(b)本明細書中に記述された一つ以上の機能を装置に実施させるべく協働して作用する一つ以上のコンピュータ可読メモリ上に記憶されたソフトウェアおよび／またはファームウェア命令を備えて成る回路およびコンピュータ・プログラム製品の組み合わせ、および、(c)たとえば、ソフトウェアまたはファームウェアが物理的に存在しないとしても、動作のために該ソフトウェアまたはファームウェアを必要とする単一もしくは複数のマイクロプロセッサ、または、単一もしくは複数のマイクロプロセッサの一部などの如き回路、を指している。“回路機構”のこの定義は、一切の請求項におけるものを含め、本明細書中におけるこの語句の全ての使用箇所に適用される。更なる例として、本明細書中で用いられる如く、“回路機構”という語句はまた、一つ以上のプロセッサおよび／またはその一部、および、付随するソフトウェアおよび／またはファームウェアを備えて成る実施形態も包含する。別の例として、本明細書中で用いられる如き“回路機構”という語句は、たとえば、携帯電話のためのベースバンド集積回路もしくはアプリケーション・プロセッサ集積回路、または、サーバ内の同様の集積回路、セル式ネットワーク装置、他のネットワーク装置、及び／又は、他の演算装置も包含している。
【００５２】
本明細書中で定義される如く、(たとえば、揮発性もしくは不揮発性のメモリ・デバイスなどの)物理的媒体を指す“持続的コンピュータ記憶媒体”は、電磁的信号を指す“一時的コンピュータ可読媒体”から区別され得る。
【００５３】
図１は、少なくとも一つの例示的実施形態に係る電子装置10の如き装置を示すブロック図である。但し、図示されると共に本明細書において以下に記述される電子装置は、本発明の実施形態から利益を獲得し得る電子装置を例証するにすぎないことから、本発明の有効範囲を制限すると解釈されるべきでないことを理解すべきである。電子装置10は例示目的で図示され且つ本明細書において以下に記述されるが、他の形式の電子装置は、本発明の実施形態を容易に採用し得る。電子装置10は、パーソナル・デジタル・アシスタント(PDA)、ページャ、モバイル・コンピュータ、デスクトップ・コンピュータ、テレビ、モニタ、ディスプレイ、ゲーム装置、ラップトップ・コンピュータ、タブレット・コンピュータ、メディアプレーヤ、頭部装着型ディスプレイ、ニアアイ・ディスプレイ、シースルー・ディスプレイ、カメラ、ビデオレコーダ、携帯電話、全地球測位システム(GPS)装置、自動車、自動券売機(kiosk)、電子テーブル(electronic table)、ロボット、および／または、他の任意の形式の電子システムであり得る。更に、少なくとも一つの例示的実施形態の装置は、電子装置全体である必要はないが、他の例示的実施形態においては該電子装置の一つの構成要素もしくは一群の構成要素であり得る。たとえば、該装置は、一つの集積回路、一群の集積回路、および／または、類似物であり得る。
【００５４】
更に、各装置は、移動性を提供するという本発明の実施形態の意図に関わらず、それらを容易に採用し得る。この点に関し、本発明の各実施形態はモバイル用途に関して記述され得るが、本発明の実施形態は、移動通信分野および移動通信分野以外の両方において、種々の他の用途に関して利用され得ることを理解すべきである。たとえば、該装置は、大型画面テレビ、電子テーブル、自動券売機、自動車、監視デバイス、家庭用の自動式もしくは制御用のデバイス、および／または、類似物の如き、携行不能装置の少なくとも一部分であり得る。
【００５５】
少なくとも一つの例示的実施形態において、電子装置10は、プロセッサ11およびメモリ12を備えて成る。プロセッサ11は、任意の形式のプロセッサ、コントローラ、組込式コントローラ、プロセッサ・コア、および／または、類似物であり得る。少なくとも一つの例示的実施形態において、プロセッサ11はコンピュータ・プログラム・コードを利用することで、装置に、一つ以上の動作を実施させる。メモリ12は、データの一時的記憶のためのキャッシュ領域を含む揮発性ランダム・アクセス・メモリ(RAM)の如き揮発性メモリ、および／または、組み込まれ得、且つ／又は、取外し可能であり得る不揮発メモリなどの、他のメモリを備えて成り得る。該不揮発メモリは、EEPROM、フラッシュ・メモリ、および／または、類似物を備えて成り得る。メモリ12は、任意数の情報およびデータを記憶し得る。該情報およびデータは、電子装置10により使用されることで、本明細書中に記述された機能の如き、該電子装置10の一つ以上の機能を実現し得る。少なくとも一つの例示的実施形態において、メモリ12は、該メモリおよび当該コンピュータ・プログラム・コードが、該プロセッサと協働して、本明細書中に記述される一つ以上の動作を該装置に実施させる如く、コンピュータ・プログラム・コードを含んでいる。
【００５６】
電子装置10は更に、通信デバイス15を備えて成り得る。少なくとも一つの例示的実施形態において、通信デバイス15は、送信器および／または受信器と作用的に通信する、一つのアンテナ(または、複数のアンテナ)、有線コネクタ、および／または、類似物を備えて成り得る。少なくとも一つの例示的実施形態において、プロセッサ11は、送信器に対して信号を提供し、且つ／又は、受信器から信号を受信する。該信号は、通信インタフェース規格に従う信号通信情報、ユーザ音声、受信データ、ユーザが生成したデータ、および／または、類似物を備えて成り得る。通信デバイス15は、一種類以上のエア・インタフェース規格、通信プロトコル、変調形式、および、アクセス形式により動作し得る。実例として、電子通信デバイス15は、第二世代(2G)の無線通信プロトコルである、IS-136(時分割多元接続(TDMA))、移動通信用グローバル・システム(GSM)、および、IS-95(符号分割多重アクセス(CDMA))に従い、汎用移動電気通信システム(UMTS)、CDMA2000、広帯域CDMA(WCDMA)および時分割同期CDMA(TD-SCDMA)の如き第三世代(3G)の無線通信プロトコルに従い、且つ／又は、第四世代(4G)の無線通信プロトコルである、802.11の如き無線ネットワーキング・プロトコル、ブルートゥース(Bluetooth)の如き短距離無線プロトコル、および／または、類似物に従い、動作し得る。通信デバイス15は、イーサネット、デジタル加入者回線(DSL)、非同期転送モード(ATM)、および／または、類似物の如き有線プロトコルに従って動作し得る。
【００５７】
プロセッサ11は、オーディオ、ビデオ、通信、ナビゲーション、論理機能、および／または、類似物を実現するための、ならびに、たとえば、本明細書中に記述される機能の内の一つ以上などの、本発明の実施形態を実現するための、回路機構の如き手段を備えて成り得る。たとえば、プロセッサ11は、たとえば、本明細書中に記述される機能の内の一つ以上などの種々の機能を実施するための、デジタル信号プロセッサ・デバイス、マイクロプロセッサ・デバイス、種々のアナログ／デジタル変換器、デジタル／アナログ変換器、処理回路機構、および、他の支援回路の如き、手段を備えて成り得る。該装置は、これらのデバイスの中でも、それらの夫々の能力に従い、該電子装置10の制御機能および信号処理機能を実施し得る。この様にプロセッサ11は、変調および送信に先立ち、メッセージおよびデータを符号化してインターリーブする機能性を備えて成り得る。プロセッサ11は、内部ボイスコーダを付加的に備えて成り得ると共に内部データ・モデムを備えて成り得る。更に、プロセッサ11は、メモリ内に記憶され得る一つ以上のソフトウェア・プログラムであって、とりわけ、たとえば、本明細書中に記述される機能の内の一つ以上などの少なくとも一つの実施形態を該プロセッサ11に実現させ得るという一つ以上のソフトウェア・プログラムを動作させる機能性を備えて成り得る。たとえば、プロセッサ11は、習用のインターネット・ブラウザの如き接続プログラムを動作させ得る。該接続プログラムによれば、電子装置10は、たとえば、トランスミッション制御プロトコル(TCP)、インターネット・プロトコル(IP)、ユーザ・データグラム・プロトコル(UDP)、インターネット・メッセージ・アクセス・プロトコル(IMAP)、ポスト・オフィス・プロトコル(POP)、簡易メール転送プロトコル(SMTP)、無線アプリケーション・プロトコル(WAP)、ハイパーテキスト転送プロトコル(HTTP)、および／または、類似プロトコルに従い、位置情報コンテンツ、および／または、他のウェブ・ページ・コンテンツの如きインターネット・コンテンツを送信および受信することが許容され得る。
【００５８】
電子装置10は、出力を提供し、且つ／又は、入力を受信するユーザ・インタフェースを備えて成り得る。電子装置10は、出力デバイス14を備えて成り得る。出力デバイス14は、リンガ、イヤフォン、スピーカ、および／または、類似物の如き、オーディオ出力デバイスを備えて成り得る。出力デバイス14は、振動変換器、電子的に変形可能な表面、電子的に変形可能な構造、および／または、類似物の如き、触覚的出力デバイスを備えて成り得る。出力デバイス14は、ディスプレイ、ライト、および／または、類似物の如き、視覚的出力デバイスを備えて成り得る。少なくとも一つの例示的実施形態において、該装置は情報の表示を惹起し、該表示を惹起する段階は、該情報を該装置により構成されたディスプレイ上に表示する段階、該情報を別体的装置に対して送信する段階、および／または、類似段階を備えて成り得る。たとえば、該装置は、該情報を、別体的ディスプレイに対し、コンピュータに対し、ラップトップに対し、モバイル装置に対し、および／または、類似物に対し、送信し得る。たとえば、該装置は、該情報を、該情報を表示するクライアント装置に対して送信することにより該情報の表示を惹起するサーバであり得る。この様にして、該情報の表示を惹起する段階は、一つ以上のメッセージを、該情報を構成する別体的装置に対して送信する段階、該情報を該別体的装置に対して流す段階、および／または、類似段階を備えて成り得る。該電子装置は、入力デバイス13を備えて成り得る。入力デバイス13は、光センサ、近接性センサ、マイクロフォン、タッチセンサ、力センサ、ボタン、キー・パッド、動作センサ、磁界センサ、カメラ、および／または、類似物を備えて成り得る。タッチセンサおよびディスプレイは、タッチ・ディスプレイとして特性記述され得る。タッチ・ディスプレイを備えて成る実施形態において、該タッチ・ディスプレイは、単一の接触点、複数の接触点、および／または、類似物からの入力を受信すべく構成され得る。斯かる実施形態において、該タッチ・ディスプレイおよび／または該プロセッサは、少なくとも部分的に、位置、動作、速度、接触面積、および／または、類似物に基づいて、入力を決定し得る。少なくとも一つの例示的実施形態において、該装置は、入力の表現物を受信する。該装置は該表現物を、センサ、駆動器、別体的装置、および／または、類似物から受信し得る。該入力を表す該情報は、該入力を表し、該入力の特性を表し、該入力の発生を表し、および／または、類似物を表す、という情報を伝達する情報を備えて成り得る。
【００５９】
電子装置10は、抵抗的、容量的、赤外線、歪ゲージ、表面波、光学的結像、散乱信号技術、音響パルス認識、もしくは、他の技術の内の任意のものによりタッチ認識を可能とすべく、且つ、その後、タッチに関連する箇所および他のパラメータを表す信号を提供すべく構成されたものを含め、種々のタッチ・ディスプレイの内の任意のものを含み得る。付加的に、該タッチ・ディスプレイは、(たとえば、指、スタイラス、ペン、鉛筆、もしくは、他のポインティング・デバイスなどの)選択物体と該タッチ・ディスプレイとの間の実際の物理接触として定義され得るタッチ事象の形態である入力の表現物を受信すべく構成され得る。代替的に、タッチ事象は、該タッチ・ディスプレイに対して物理接触が為されないとしても、該選択物体を該タッチ・ディスプレイの近傍にもたらすこと、表示されたオブジェクト上でホバリングさせること、または、物体を所定距離内に接近させることとして定義され得る。その故に、タッチ入力は、実際の物理接触を伴うタッチ事象、および、物理接触を伴わないが、タッチ・ディスプレイに対する選択物体の近接性の結果の如く、タッチ・ディスプレイにより別様に検出されるタッチ事象を含め、タッチ・ディスプレイにより検出される一切の入力を備えて成り得る。タッチ・ディスプレイは、タッチ入力に関連して該タッチスクリーンに対して付与された力に関連する情報を受信し得る。たとえば、該タッチスクリーンは、強い押圧のタッチ入力と、軽い押圧のタッチ入力と、を区別し得る。少なくとも一つの例示的実施形態において、ディスプレイは、２次元情報、３次元情報、および／または、類似物を表示し得る。
【００６０】
キー・パッドを含む実施形態において、該キー・パッドは、電子装置10を操作するための、(たとえば、０〜９などの)数値キー、(たとえば、＃、＊などの)記号キー、アルファベット・キー、および／または、類似物を備えて成り得る。たとえば、該キー・パッドは、習用のQWERTYキー・パッド配置を備えて成り得る。該キー・パッドはまた、付随する機能を備えた種々のソフトキーも備えて成り得る。付加的もしくは代替的に、電子装置10は、ジョイスティック、または、他のユーザ入力インタフェースの如き、インタフェース・デバイスを備えて成り得る。
【００６１】
入力デバイス13は、メディア捕捉要素を備えて成り得る。該メディア捕捉要素は、記憶、表示、または、送信のために画像、動画、および／またはオーディオを捕捉する任意の手段であり得る。たとえば、メディア捕捉要素がカメラ・モジュールであるという少なくとも一つの例示的実施形態において、該カメラ・モジュールは、捕捉された画像からデジタル画像ファイルを形成し得るデジタル・カメラを備えて成り得る。その故に、該カメラ・モジュールは、レンズまたは他の単一もしくは複数の光学的構成要素の如きハードウェア、および／または、捕捉された画像からデジタル画像ファイルを生成するために必要なソフトウェアを備えて成り得る。代替的に、該カメラ・モジュールは、画像を視認するためのハードウェアのみを備えて成り得る一方、電子装置10のメモリ・デバイスは、プロセッサ11による実行のための命令であって、捕捉された画像からデジタル画像ファイルを生成するソフトウェアの形態であるという命令を記憶する。少なくとも一つの例示的実施形態において、該カメラ・モジュールは更に、プロセッサ11が画像データを処理することを支援するコプロセッサの如き処理要素、および、画像データを圧縮および／または解凍するエンコーダおよび／またはデコーダを備えて成り得る。該エンコーダおよび／またはデコーダは、たとえば、ジョイント・フォトグラフィック・エキスパート・グループ(JPEG)標準フォーマットなどの標準的フォーマットに従い符号化および／または復号化し得る。
【００６２】
図２Ａ〜図２Ｄは、少なくとも一つの例示的実施形態に係るコンテンツの表示法を例示する概略図である。図２Ａ〜図２Ｄの実例は、一例にすぎず、各請求項の有効範囲を制限するものでない。たとえば、コンテンツの種類は変化し得、コンテンツの供給源は変化し得、ディスプレイは変化し得、および／または、同様のことであり得る。
【００６３】
多くの状況において、各個人は、テレビ、モニタ、および／または、類似物の如きディスプレイを経由して情報を視認することを所望し得る。たとえば、個人は、テレビ番組、動画、および／または、類似物を注視することがある。多くの場合、装置がディスプレイを備えて成るとき、該ディスプレイは、複数の視認者により視認可能であり得る。視認者とは、ディスプレイ上に表示されたコンテンツの少なくとも一部分の視覚的認識が、該視認者により可能である如く位置された対象者、動物、装置、捕捉デバイス、および／または、類似物を指し得る。たとえば、ディスプレイの視認者は、該視認者がディスプレイの正面に着座されたときに該ディスプレイ上に表示されたコンテンツを視覚的に認識し得るが、ディスプレイの背後に起立し、視認者がディスプレイから離れた部屋に配置されたとき、および／または、類似する場合、視認者はディスプレイ上に表示されたコンテンツを認識し得ないことがある。ディスプレイに関連して、コンテンツとは、ディスプレイ上に表示された視覚的情報、動く画像、グラフィック、カラー、記号、動画、図形、写真、および／または、類似物を指し得る。コンテンツは、別体的装置から受信され、メモリから読み出され、および／または、同様とされ得る。たとえば、該装置は、ローカルメモリ内に記憶された動画を表示し、アンテナを経由して生のテレビ信号の表示を惹起し、ケーブル・テレビ・プロバイダおよび／または類似体によるビデオ信号を受信して表示を惹起し、(たとえば、DVDプレーヤ、VHSカセット・プレーヤ、ブルーレイ・プレーヤなどの)ビデオ・プレーヤからのビデオを再生し、インターネットの如きパブリック・データ・ネットワークからストリーミング・コンテンツを受信し、および／または、同様のことを行い得る。
【００６４】
図２Ａの実例は、第一視認者200および第二視認者202を例示している。図２Ａの実例において、第一視認者200および第二視認者202は、ディスプレイ204の視認者である。図２Ａの実例において、ディスプレイ204は、コンテンツ206を表示しつつある。図２Ｂの一例は、コンテンツ206を例示している。
【００６５】
幾つかの状況において、ディスプレイにより表示されたコンテンツは、任意の視認者により視認可能であることが意図され得る。たとえば、該コンテンツは、動画、一群の呈示物、生のテレビ放送、および／または、類似物であり得る。たとえば、図２Ａのコンテンツ206は、任意の視認者により視認可能であることが意図されたテレビ放送であり得る。任意の視認者により視認可能であることが意図されたコンテンツは、非個人的コンテンツ(non-private content)と称され得る。少なくとも一つの例示的実施形態において、装置は、非個人的コンテンツの表示を惹起する。
【００６６】
幾つかの状況において、ディスプレイにより表示されたコンテンツは、単一の視認者により視認可能であることが意図され得る。たとえば、該コンテンツは、個人的メッセージ、個別メッセージ、状況更新、取引記録、および／または、類似物であり得る。特定の単一の視認者、特定の複数の視認者、および／または、類似体により視認可能であることが意図されたコンテンツは、個人的コンテンツ(private content)と称され得る。たとえば、個人的コンテンツは、特定の視認者への表示に対して指定され、他の複数の視認者への表示の回避に対して指定され、および／または、同様に指定されたコンテンツであり得る。たとえば、図２Ａの実例において、第一視認者の個人的コンテンツは、第一視認者200への表示に対して指定され得ると共に、第二視認者202への表示の回避に対して指定され得る。個人的コンテンツは、秘密的でないコンテンツを備えて成り得ることを理解すべきである。たとえば、個人的コンテンツは、視認者の好きなスポーツ・チームに対するスポーツ得点、ニュース・テロップ、株式市況、および／または、類似物を備えて成り得る。この様にして、個人的コンテンツは、指定された視認者が認識を所望し、指定された視認者が、他の視認者が認識することを回避することを所望し、および／または、同様のことを所望するという、任意の情報であり得る。少なくとも一つの例示的実施形態において、装置は、個人的コンテンツの表示を惹起する。
【００６７】
多くの状況において、視認者は、テレビ番組の如き非個人的コンテンツを注視しつつあり、且つ、個人的コンテンツを認識することを所望し得る。斯かる状況においては、該視認者に対し、個人的コンテンツと、非個人的コンテンツの少なくとも一部分と、が同時に視認可能である如く、個人的コンテンツの表示を惹起することが好適であり得る。幾つかの状況において、ディスプレイは、個人的コンテンツと同時的に非個人的コンテンツを表示し得る。たとえば、ディスプレイは、テレビ放送、動画、および／または、類似物上に、株式相場表示、スポーツ得点、および／または、類似物を重なり合わせ得る。図２Ｃの実例は、コンテンツ206に重なり合うコンテンツ208を例示している。ディスプレイに関連して、コンテンツの重なり合いとは、第二コンテンツの少なくとも一部分を第一コンテンツが遮る如き、それの表示を参照し得る。図２Ｄの実例は、コンテンツ206に重なり合うコンテンツ210を例示している。図２Ｃ〜図２Ｄの実例において、コンテンツ206は非個人的コンテンツであることを理解すべきである。図２Ｃの実例において、コンテンツ208は個人的コンテンツであることを理解すべきである。コンテンツ208は株価チャートとして例示されるが、コンテンツ208は任意の種類のコンテンツであり得ることを理解すべきである。図２Ｄの実例において、コンテンツ210は個人的コンテンツであることを理解すべきである。コンテンツ210はスポーツ得点として例示されるが、コンテンツ210は任意の種類のコンテンツであり得ることを理解すべきである。少なくとも一つの例示的実施形態において、個人的コンテンツの表示は、該個人的コンテンツが非個人的コンテンツの少なくとも一部分に重なり合う如く実施される。
【００６８】
幾つかの状況において、視認者がディスプレイの正面に位置されたとき、該視認者は、該ディスプレイ上に表示されたコンテンツを視覚的に認識し得ないことがある。たとえば、該視認者は両目を閉じることがあり、該視認者は自身の視界を別の物体により遮られることがあり、および／または、同様のことがあり得る。これらの如き状況においては、視認者がディスプレイを視覚的に認識し得ない場合、視認者がディスプレイを視覚的に認識し得る場合、および／または、同様の場合を決定することが好適であり得る。たとえば、視認者がディスプレイを視覚的に認識し得ないという状況において、該ディスプレイは、一般的なコンテンツを表示し、待機モードに移行し、および／または、同様のことを行い得る。視認者がディスプレイを視覚的に認識し得るという状況において、該ディスプレイは、待機モードから回復し、該視認者に対して意図されたコンテンツを表示し、および／または、同様のことを行い得る。視認者がディスプレイを視覚的に認識し得るとの決定は、別体的装置から受信された情報、該装置により為された決定、および／または、類似物に基づき得る。たとえば、該装置は、視認者がディスプレイの少なくとも一部分を視覚的に認識し得ることを表す情報を、カメラ・モジュールから、画像センサから、視認者のフィードバックから、および／または、類似物から、受信し得る。視認者がディスプレイの少なくとも一部分を視覚的に認識し得ることを表す情報を装置が如何に受信し得るかの種々の例は、図３および図４Ａ〜図４Ｂに関して記述される。但し、装置が斯かる情報を受信し得る多くの様式があり得ると共に、将来的には更に多くの様式が開発され得ることを理解すべきである。その故に、視認者がディスプレイの少なくとも一部分を視覚的に認識し得るか否かを該装置が決定する様式は、必ずしも、各請求項の有効範囲を制限するものでない。たとえば、図３および図４Ａ〜図４Ｂの実例に関して記述される本発明の実施形態は、単なる一例であり、必ずしも、各請求項の有効範囲を制限するものでない。少なくとも一つの例示的実施形態において、視認者がディスプレイの少なくとも一部分を視覚的に認識し得ないことの決定は、少なくとも部分的に、視認者がディスプレイの少なくとも一部分を視覚的に認識し得ないことを表す情報に基づく。少なくとも一つの例示的実施形態において、視認者がディスプレイの少なくとも一部分を視覚的に認識し得ることの決定は、視認者がディスプレイの少なくとも一部分を視覚的に認識し得ることを表す情報に基づく。
【００６９】
先に記述された如く、装置は、視認者がディスプレイの少なくとも一部分を視覚的に認識し得ることを表す情報を受信し得る。たとえば、図２Ａのディスプレイ204は、第一視認者200および／または第二視認者202が該ディスプレイ204の少なくとも一部分を視覚的に認識し得ることを表す情報を受信し得る。少なくとも一つの例示的実施形態において、装置は、視認者がディスプレイの少なくとも一部分を視覚的に認識し得ることを表す情報を受信する。
【００７０】
先に記述された如く、装置は、視認者がディスプレイの少なくとも一部分を視覚的に認識し得ないことを表す情報を受信し得る。たとえば、図２Ａのディスプレイ204は、第一視認者200および／または第二視認者202が該ディスプレイ204の少なくとも一部分を視覚的に認識し得ないことを表す情報を受信し得る。少なくとも一つの例示的実施形態において、装置は、視認者がディスプレイの少なくとも一部分を視覚的に認識し得ないことを表す情報を受信する。
【００７１】
先に記述された如く、幾つかの状況において、視認者は、ディスプレイの少なくとも一部分を視覚的に認識し得ることがある。これらの如き状況においては、ディスプレイ上にコンテンツを表示することが好適であり得る。たとえば、該ディスプレイは、視認に先立ち待機モードに維持され得ると共に、該ディスプレイを視認すると、コンテンツの表示がトリガされ得る。少なくとも一つの例示的実施形態において、装置は、少なくとも部分的に視認者がディスプレイの少なくとも一部分を視覚的に認識し得ることに基づいて、コンテンツの表示を惹起する。たとえば、図２Ａのディスプレイ204は、少なくとも部分的に、第一視認者200および／または第二視認者202が該ディスプレイ204の少なくとも一部分を視覚的に認識し得ることに基づいて、コンテンツ206の表示を惹起し得る。少なくとも一つの例示的実施形態において、装置は、視認者がディスプレイの少なくとも一部分を視覚的に認識し得ることに応じて、コンテンツの表示を惹起する。
【００７２】
先に記述された如く、幾つかの状況において、視認者は、ディスプレイの少なくとも一部分を視覚的に認識し得ないことがある。これらの如き状況においては、ディスプレイ上のコンテンツの表示を終結することが好適であり得る。たとえば、コンテンツの表示の終結は、電力を節約し得、繊細な情報が伝達されることを阻止し得、および／または、同様のことを行い得る。少なくとも一つの例示的実施形態において、装置は、少なくとも部分的に、視認者がディスプレイの少なくとも一部分を視覚的に認識し得ないことに基づき、コンテンツの表示の終結を惹起する。たとえば、図２Ａのディスプレイ204は、少なくとも部分的に、第一視認者200および／または第二視認者202がディスプレイ204の少なくとも一部分を視覚的に認識し得ないことに基づき、コンテンツ206の表示を終結し得る。少なくとも一つの例示的実施形態において、装置は、視認者がディスプレイの少なくとも一部分を視覚的に認識し得ないことに応じて、コンテンツの表示の終結を惹起する。
【００７３】
先に記述された如く、幾つかの状況において、ディスプレイは、個人的コンテンツを表示し得る。これらの如き状況においては、該個人的コンテンツが、特定の単一の視認者および／または複数の視認者に関連付けられることを決定することが好適であり得る。この様にして、個人的コンテンツに対して関連付けられない視認者に対する該個人的コンテンツの表示。たとえば、図２Ｃのコンテンツ208は、図２Ａの第一視認者200に対して関連付けられた第一視認者用個人的コンテンツであり得ると共に、図２Ｄのコンテンツ210は、図２Ａの第二視認者202に対して関連付けられた第二視認者用個人的コンテンツであり得る。この例において、図２Ａのディスプレイ206は、コンテンツ208を第二視認者202に対して表示することを回避し得ると共に、ディスプレイ206は、少なくとも部分的に、コンテンツ208および210が特定の視認者に対して関連付けられた個人的コンテンツであることに基づき、コンテンツ210を第一視認者200に対して表示することを回避し得る。少なくとも一つの例示的実施形態において、装置は、特定の単一の視認者および／または特定の複数の視認者に対して関連付けられた個人的コンテンツを決定する。
【００７４】
幾つかの状況において、装置に対するアクセスを促進するために、該装置に対して関連付けられたディスプレイの視認者は、視認者固有性(viewer identity)を有し得る。視認者固有性とは、認証情報、バイオメトリック特徴、および／または、類似物の如き、視認者の識別的特性を指し得る。たとえば、視認者は、ディスプレイに関連付けられたデバイスに対し、ユーザ名およびパスワードによりログオンし得ると共に、ディスプレイに関連付けられた画像および／または深度センサ、または、マイクロフォンは、物理的特性、および／または、類似物に基づいて視認者の固有性を認識し得る。これらの如き状況において、該装置は、視認者の固有性を決定することが好適であり得る。たとえば、特定の視認者の固有性は、その特定の視認者に対して個人的コンテンツが関連付けられることを決定するために有用であり得る。少なくとも一つの例示的実施形態において、装置は、少なくとも部分的に、特定の視認者の固有性に基づき、コンテンツが特定の視認者用の個人的コンテンツであることを決定する。たとえば、図２Ａのディスプレイ204は、図２Ａの第一視認者200が第一視認者固有性を有することを決定し得ると共に、ディスプレイ204は、少なくとも部分的に、第一視認者200の第一視認者固有性に基づき、図２Ｃのコンテンツ208が第一視認者200に関連付けられた第一視認者用個人的コンテンツであることを決定し得る。
【００７５】
幾つかの状況においては、個人的コンテンツの表示を促進するために、個人的コンテンツは、コンテンツ守秘方針(content privacy policy)に関連付けられることが好適であり得る。コンテンツ守秘方針とは、特定のコンテンツを個人的コンテンツとして指定し、視認者を特定の個人的コンテンツに対して関連付け、および／または、同様のことを行うデータ構造を指し得る。たとえば、守秘方針は、同様のコンテンツの前回の指定、視認者の嗜好性に基づく指定、視認者固有性により構成される指定、視認者および／またはコンテンツ管理者により制御される制御設定、特定対象者のソーシャル・ネットワーク・アカウントの如きアカウント情報に対する関連性、および／または、類似物に基づき、コンテンツを個人的コンテンツと指定し得る。これらの如き状況においては、少なくとも部分的に、コンテンツ守秘方針の受信に基づき、コンテンツを個人的コンテンツであると決定することが好適であり得る。たとえば、装置は、コンテンツの受信に先立ち、コンテンツの受信と同時に、および／または、同様にして、コンテンツ守秘方針を受信し得る。少なくとも一つの例示的実施形態において、コンテンツは、特定の視認者および／または特定の複数の視認者に対して関連付けられた個人的コンテンツであると決定する段階は、その特定の視認者および／または特定の複数の視認者の視認者固有性に対して関連付けられたコンテンツ守秘方針を受信する段階を備えて成る。この様にして、コンテンツが個人的コンテンツであるとの決定は、少なくとも部分的に、コンテンツ守秘方針に基づき得る。
【００７６】
先に記述された如く、幾つかの状況において、ディスプレイは個人的コンテンツを表示し得る。これらの如き状況において、特定の視認者が個人的コンテンツを認識し得ないという状況に対しては、該コンテンツを表示することを制限することが好適であり得る。たとえば、該視認者は、部屋を離れることがあり、眠り込むことがあり、まばたきすることがあり、ディスプレイから視線を逸らすことがあり、および／または、同様のことがあり得る。たとえば、図２Ｃのコンテンツ208が、図２Ａの第一視認者200に対して関連付けられた第一視認者用個人的コンテンツであるという状況においては、コンテンツ208の表示を、図２Ａの第二視認者202が、図２Ａのディスプレイ204の少なくとも一部分を視覚的に認識し得ないという状況に制限することが好適であり得る。この様にして、視認者202は、コンテンツ208を視認し得なくなり得る。同様に、図２Ｄのコンテンツ210が、第二視認者202に対して関連付けられた第二視認者用個人的コンテンツであるという状況においては、コンテンツ210の表示を、第一視認者200がディスプレイ204の少なくとも一部分を視覚的に認識し得ないという状況に制限することが好適であり得る。この様にして、視認者200は、コンテンツ210を視認し得なくなり得る。少なくとも一つの例示的実施形態において、第一視認者用個人的コンテンツの表示を惹起する段階は、少なくとも部分的に、第二視認者がディスプレイの少なくとも一部分を視覚的に認識し得ないことに基づく。少なくとも一つの例示的実施形態において、第一視認者用個人的コンテンツの表示を惹起する段階は、第二視認者が、ディスプレイの少なくとも一部分を視覚的に認識し得ないことに応じたものである。
【００７７】
幾つかの状況においては、個人的コンテンツに対して関連付けられない特定の視認者が、該個人的コンテンツがディスプレイ上に表示されている間にディスプレイの視認を開始することがある。たとえば、該視認者は、部屋に進入し得、目を覚まし得、まばたきを停止し得、ディスプレイの方を見ることを再開し得、および／または、同様のことを行い得る。これらの如き状況においては、個人的コンテンツの表示を終結することが好適であり得る。たとえば、図２Ｃのコンテンツ208が図２Ａの第一視認者200に対して関連付けられ、且つ、図２Ａのディスプレイ204上にコンテンツ208が表示されるという状況において、図２Ａの第二視認者202は、ディスプレイ204の少なくとも一部分の視認を開始することがある。これらの如き状況においては、個人的コンテンツの表示を終結することが好適であり得る。この様にして、第二視認者200は、個人的コンテンツを視認し得ないことがある。少なくとも一つの例示的実施形態において、装置は、個人的コンテンツの表示を終結する。少なくとも一つの例示的実施形態において、装置は、少なくとも部分的に、第二視認者がディスプレイの少なくとも一部分を視覚的に認識し得ることに基づき、第一視認者用個人的コンテンツの表示を終結する。少なくとも一つの例示的実施形態において、装置は、第二視認者がディスプレイの少なくとも一部分を視覚的に認識し得ることに応じて、第一視認者用個人的コンテンツの表示を終結する。
【００７８】
先に記述された如く、幾つかの状況において、ディスプレイは、個人的コンテンツと同時に、非個人的コンテンツを表示し得る。個人的コンテンツの表示を終結することが好適であるという状況においては、非個人的コンテンツの表示を継続することが好適であり得る。たとえば、個人的コンテンツの表示が終結されたとき、複数の視認者が非個人的コンテンツを視認することを所望し得る。少なくとも一つの例示的実施形態において、個人的コンテンツの表示の終結は、非個人的コンテンツが表示され続ける如く、実施される。少なくとも一つの例示的実施形態において、個人的コンテンツの表示の終結は、該個人的コンテンツが非個人的コンテンツに重なり合わない様に、実施される。
【００７９】
図３は、少なくとも一つの例示的実施形態に係る衝動性眼球運動を例示する概略図である。図３の実例は、一例にすぎず、各請求項の有効範囲を制限するものでない。たとえば、運動の形式は変化し得、運動の量は変化し得、運動の回数は変化し得、および／または、同様のことが変化し得る。
【００８０】
先に記述された如く、幾つかの状況において、装置は、視認者がディスプレイの少なくとも一部分を視覚的に認識し得ることを表す情報を受信し得る。たとえば、該情報は、視認者が、ディスプレイの全体、ディスプレイの一部、ディスプレイの特定領域、および／または、類似物を視覚的に認識し得ることを表し得る。幾つかの状況において、視認者は、ディスプレイの少なくとも一部分を視覚的に認識し得る、と言うのも、該視認者は、開放的な視野を有し、両目を開き、および／または、同様の状態に在るからである。これらの如き状況において、該装置は、少なくとも部分的に、該視認者が開放的な視野を有することに基づき、該視認者がディスプレイの少なくとも一部分を視覚的に認識し得ると決定することが好適であり得る。少なくとも一つの例示的実施形態において、視認者がディスプレイの少なくとも一部分を視覚的に認識し得ることを表す情報は、視認者が両目を開いていることを表す情報を備えて成る。たとえば、該装置は、視認者が両目を開いていることを表す情報を、視線追跡カメラから受信し得る。少なくとも一つの例示的実施形態において、視認者がディスプレイの少なくとも一部分を視覚的に認識し得ると決定する段階は、該視認者が、少なくとも部分的に、該視認者が両目を開いていることを表す情報に基づき、両目を開いていると決定する段階を備えて成る。少なくとも一つの例示的実施形態において、視認者がディスプレイの少なくとも一部分を視覚的に認識し得ないことを表す情報は、視認者が少なくとも部分的に開放的な視野を有することを表す情報を備えて成る。
【００８１】
先に記述された如く、幾つかの状況において、装置は、視認者がディスプレイの少なくとも一部分を視覚的に認識し得ないことを表す情報を受信し得る。たとえば、該情報は、視認者が、ディスプレイの全体、ディスプレイの一部、ディスプレイの特定領域、および／または、類似物を視覚的に認識し得ないことを表し得る。幾つかの状況において、視認者は、ディスプレイの少なくとも一部分を視覚的に認識し得ないことがある、と言うのも、該視認者は、視野が遮られ、両目を閉じ、および／または、同様の状態に在るからである。たとえば、視認者は眠り込むことがあり得、視認者はまばたきし得、視認者は本を読むことがあり得、視認者はディスプレイに向く方向以外の方向を注視することがあり得、および／または、同様のことがあり得る。これらの如き状況において、該装置は、少なくとも部分的に、視認者の視野が遮られていることに基づき、該視認者がディスプレイの少なくとも一部分を視覚的に認識し得ないことを決定することが好適であり得る。少なくとも一つの例示的実施形態において、視認者がディスプレイの少なくとも一部分を視覚的に認識し得ないことを表す情報は、該視認者が両目を閉じていることを表す情報を備えて成る。たとえば、該装置は、視線追跡カメラから、視認者が両目を閉じていることを表す情報を受信し得る。少なくとも一つの例示的実施形態において、視認者がディスプレイの少なくとも一部分を視覚的に認識し得ないと決定する段階は、少なくとも部分的に、視認者が両目を閉じていることを表す情報に基づいて、該視認者が両目を閉じていると決定する段階を備えて成る。少なくとも一つの例示的実施形態において、視認者がディスプレイの少なくとも一部分を視覚的に認識し得ないことを表す情報は、視認者の視野が遮られていることを表す情報を備えて成る。
【００８２】
幾つかの状況において、視認者は、該視認者が不在の故に、ディスプレイの少なくとも一部分を視覚的に認識し得ないことがある。たとえば、図２Ａの視認者200は、自身がディスプレイ204を視認し得ない様に、ディスプレイ204の近傍を離脱することがあり得る。これらの如き状況において、ディスプレイ204は、視認者200が不在であることを決定し得る。たとえば、装置204に関連付けられたカメラは、視認者200が存在していると検出し得ないことがある。少なくとも一つの例示的実施形態において、視認者がディスプレイの少なくとも一部分を視覚的に認識し得ないことを表す情報は、視認者が不在であることを表す情報を備えて成る。少なくとも一つの例示的実施形態において、視認者がディスプレイの少なくとも一部分を視覚的に認識し得ないと決定する段階は、少なくとも部分的に、該視認者が不在であることを表す情報に基づき該視認者が不在であると決定する段階を備えて成る。
【００８３】
多くの状況において、人間および他の動物は、固定された眼球位置を以ては、ディスプレイの如き、状景、物体、および／または、類似物を視認しない。寧ろ、各眼球は、状景、物体および／または、類似物の種々の部分を確認すべく素早く動くと共に、該状景、物体および／または、類似物に対応する仮想的な三次元“マップ”を構成する。この様式における各眼球の素早い動きは、衝動(saccade)と称され得る。同様に、衝動を行うときの各眼球の運動は、衝動性眼球運動(saccadic eye movement)と称され得る。
【００８４】
図３の実例は、衝動性眼球運動を例示している。図３の実例において、状景300は、第一人物302、第二人物304、第一物体306、および、第二物体308により構成される。状景300を視認するとき、視認者の両眼は、視覚経路310に対応する衝動性眼球運動を以て素早く動き得る。たとえば、対象者は各眼球を以て素早く、第一人物302から第二人物304に至り、次に物体306に至り、物体308により追随され、第二人物304に戻り、且つ、最終的には、各眼球を第一人物302上に位置して、走査を行い得る。
【００８５】
衝動は、眼球の素早い動きであることから、眼球の網膜上の画像の“ぶれ”が生ずる。多くの状況において、衝動の間、人間および他の動物は、衝動性眼球運動の間において視覚的処理を選択的に遮断し得る。この現象は、衝動性マスキング(saccadic masking)と称され得る。２つの主たる形式の衝動性マスキングは、衝動の間において光の点滅が視認され得ないというフラッシュ抑制(flash suppression)、および、物体が衝動の間において移動したことを認識することの不能性が在るという画像変位のサッケード抑制(saccadic suppression)である。この様にして、人間の視覚は、衝動の間に相当に制限される。
【００８６】
視認者が衝動を行いつつあるという状況において、該視認者は少なくとも、ディスプレイの少なくとも一部分、ディスプレイ上のコンテンツの少なくとも一部分、および／または、類似物を認識し得ないことがある。少なくとも一つの例示的実施形態において、視認者がディスプレイの少なくとも一部分を視覚的に認識し得ないことを表す情報は、第二視認者が衝動性眼球運動を行いつつあることを表す情報を備えて成る。たとえば、視線追跡カメラは、視認者が衝動性眼球運動を行いつつあることを決定し得る。少なくとも一つの例示的実施形態において、視認者がディスプレイの少なくとも一部分を視覚的に認識し得ないと決定する段階は、少なくとも部分的に、視認者が衝動性眼球運動を行いつつあることを表す情報に基づき、視認者が衝動性眼球運動を行いつつあると決定する段階を備えて成る。
【００８７】
図４Ａ〜図４Ｂは、少なくとも一つの例示的実施形態に係る視認者情報の受信を例示する概略図である。図４Ａ〜図４Ｂの実例は、単なる一例であり、各請求項の有効範囲を制限するものでない。たとえば、視認者の人数は変化し得、視認者の種類は変化し得、視認者の箇所は変化し得、および／または、同様のことがあり得る。
【００８８】
幾つかの状況において、ディスプレイを視認するとき、視認者はウェアラブル装置(wearable apparatus)を装着し得る。たとえば、視認者は、3Dシャッター・グラス、ニアアイ・ディスプレイ、シースルー・ディスプレイ、頭部装着型ディスプレイ、および／または、類似物を装着し得る。図４Ａの実例は、ウェアラブル装置401を装着している第一視認者400、および、ウェアラブル装置403を装着している第二視認者402を例示している。ウェアラブル装置401および403は、メガネとして例示されるが、装置401および403は、ヘッドバンド、ネック装着装置、手首装着装置、単眼式頭部装着型装置、および／または、類似物の如き、任意の形式のウェアラブル装置であり得ることを理解すべきである。図４Ａの実例において、第一視認者400および第二視認者402は、ディスプレイ404の視認者である。
【００８９】
幾つかの状況において、ニアアイ・ディスプレイの如きウェアラブル装置は、眼電位センサ(electro-oculographical sensor)を備えて成り得る。眼電位センサとは、眼電位測定を実施すべく作用可能なセンサを指し得る。たとえば、ニアアイ・ディスプレイは、各眼球の上方および／または下方に載置されて眼電位測定を実施する電極を備えて成り得る。眼電位法とは、眼電位センサから、眼球の運動、まばたき、および／または、類似事象を測定する技術を指し得る。斯かる測定値は、眼電位情報と称され得る。ウェアラブル装置が眼電位センサを備えて成るという状況において、眼電位情報は、ディスプレイの視認者が、ディスプレイの少なくとも一部分を視覚的に認識し得るのか、ディスプレイの少なくとも一部分を視覚的に認識し得ないのか、および／または、同様のことを決定すべく使用され得る。たとえば、眼電位センサは、眼球が衝動性運動を以て動いていること、目が開かれていること、および／または、同様のことを決定し得る。少なくとも一つの例示的実施形態において、視認者がディスプレイの少なくとも一部分を視覚的に認識し得ることを表す情報は、少なくとも一つの眼電位センサから受信された眼電位情報である。少なくとも一つの例示的実施形態において、視認者がディスプレイの少なくとも一部分を視覚的に認識し得ないことを表す情報は、少なくとも一つの眼電位センサから受信された眼電位情報である。少なくとも一つの例示的実施形態において、該眼電位センサは、視認者により装着されたウェアラブル装置により構成される。少なくとも一つの例示的実施形態において、該眼電位センサから眼電位情報を受信する段階は、該ウェアラブル装置から眼電位情報を受信する段階を備えて成る。
【００９０】
幾つかの状況において、装置は、一つ以上のカメラ・モジュールを備えて成り得、一つ以上のカメラ・モジュールと通信し得、一つ以上のカメラ・モジュールから視覚的情報を受信し得、および／または、同様であり得る。幾つかの状況において、該一つ以上のカメラ・モジュールは、ディスプレイにより指向される方向と共通な方向を向き得る。ディスプレイにより指向される方向とは、当該方向から、ディスプレイにより表示されたコンテンツが視認され得るという方向を指し得る。たとえば、広い視角を有するディスプレイは、該視角内の任意の方向を指向すると考えられ得る。これらの如き状況において、装置は、少なくとも部分的に、一つ以上のカメラ・モジュールから受信した視覚的情報に基づき、視認者が、ディスプレイを視認しているか否かを決定し得、ディスプレイの特定の視認者を識別し得、および／または、同様のことを行い得る。
【００９１】
図４Ｂの実例は、ディスプレイ414を視認している視認者410および412の上面図を例示している。図４Ｂの実例において、ディスプレイ414の各視認者は、該視認者が表示境界415Aおよび表示境界415Bにより境界付けられる領域内に位置されたときに、ディスプレイ414の少なくとも一部分を認識し得る。図４Ｂの実例において、ディスプレイ414は、カメラ・モジュール410および422を備えて成る。図４Ｂの実例において、カメラ・モジュール420は、視野境界421Aおよび421Bにより境界付けられる視界を有する。図４Ｂの実例において、カメラ・モジュール422は、視野境界423Aおよび423Bにより境界付けられる視界を有する。カメラ・モジュール420および422は、ディスプレイ414により指向される方向と共通の方向を向くことを理解すべきである。カメラ・モジュール420および422の視界は、表示境界415Aおよび415Bと対応する様には示されないが、幾つかの状況において、該各視界は、ディスプレイの各表示境界に対応し得ると共に、付加的なカメラ・モジュール、更に広い視角を備えたカメラ・モジュール、表示境界の外側まで延在する視角を備えたカメラ・モジュール、および／または、同様のカメラ・モジュールが在り得る。
【００９２】
図４Ｂの実例においては、視認者410がカメラ・モジュール420の視界内に位置されていることが理解され得る。この様にして、ディスプレイ414は、少なくとも部分的に、カメラ・モジュール420から受信された視覚的情報に基づき、視認者410は該ディスプレイ414の少なくとも一部分を視認し得ることを決定し得る。同様に、図４Ｂの実例において、視認者412は、カメラ・モジュール422の視界内に配置されることが理解され得る。この様にして、ディスプレイ414は、少なくとも部分的に、カメラ・モジュール422から受信された視覚的情報に基づき、カメラ・モジュール420が該ディスプレイ414の少なくとも一部分を視認し得ることを決定し得る。少なくとも一つの例示的実施形態において、視認者がディスプレイの少なくとも一部分を視覚的に認識し得ることを表す情報は、少なくとも一つのカメラ・モジュールから受信された視覚的情報である。
【００９３】
幾つかの状況において、カメラ・モジュールは、視認者が、ディスプレイの少なくとも一部分を視覚的に認識し得ないことを決定し得る。たとえば、視認者は、大型ディスプレイの一部のみを視認し得る。たとえば、ディスプレイ414の特定部分は、カメラ・モジュール420の視界内に着座する視認者にみにより認識可能であり得、ディスプレイ414の別の特定部分は、カメラ・モジュール422の視界内に着座する視認者のみにより認識可能であり得、および／または、同様のことであり得る。たとえば、ディスプレイ414は、カメラ・モジュール420および／またはカメラ・モジュール422から受信した視覚的情報により、視認者410により視認可能であるディスプレイ414の部分を、視認者412は視認し得ないことを決定し得る。少なくとも一つの例示的実施形態において、視認者がディスプレイの少なくとも一部分を視覚的に認識し得ないことを表す情報は、少なくとも一つのカメラ・モジュールから受信された視覚的情報である。少なくとも一つの例示的実施形態において、視認者がディスプレイの少なくとも一部分を視覚的に認識し得ることを表す情報は、視認者がディスプレイの特定部分を視覚的に認識し得ることを表す情報を備えて成る。少なくとも一つの例示的実施形態において、コンテンツの表示を惹起する段階は、該コンテンツがディスプレイの特定部分内に表示される如く実施される。
【００９４】
幾つかの状況において、装置は、視認者がディスプレイの少なくとも一部分を認識し得ることを表す情報を使用し、該視認者の視認者固有性を決定し得る。たとえば、視認者がディスプレイの少なくとも一部分を認識し得ることを表す情報が、視覚的情報であるなら、該視覚的情報は、視認者を識別すべく使用され得る該視認者の識別的特性を備えて成り得る。少なくとも一つの例示的実施形態において、視認者の視認者固有性の決定は、少なくとも部分的に、視認者がディスプレイの少なくとも一部分を視覚的に認識し得ることを表す情報に基づく。
【００９５】
図５は、少なくとも一つの例示的実施形態に係る個人的コンテンツの表示法に関連する動作を例示するフローチャートである。少なくとも一つの例示的実施形態においては、図５の動作に対応する一群の機能作用が在る。たとえば、図１の電子装置10などの装置、または、その一部は、該一群の機能作用を利用し得る。該装置は、斯かる機能作用を実施するための、たとえば図１のプロセッサ11などの手段を備えて成り得る。例示的実施形態において、たとえば、図１の電子装置10などの装置は、該装置に図５の一群の機能作用を実施させるべく、たとえば図１のプロセッサ11などのプロセッサと協働すべく構成されたコンピュータ・コードを備えて成る、たとえば図１のメモリ12などのメモリを有することにより、改変される。
【００９６】
先に記述された如く、幾つかの状況において、ディスプレイは、個人的コンテンツを表示することが好適であり得る。
【００９７】
ブロック502において、該装置は、第一視認者がディスプレイの少なくとも一部分を視覚的に認識し得ることを表す情報、および、第二視認者がディスプレイの少なくとも一部分を視覚的に認識し得ることを表す情報を受信する。該受信段階、該第一視認者、該第二視認者、視覚的に認識する該機能、および、該表示は、図１、図２Ａ〜図２Ｄ、図３、および、図４Ａ〜図４Ｂに関して記述されたのと同様であり得る。
【００９８】
ブロック504において、該装置は、該第一視認者に対して関連付けられた第一視認者用個人的コンテンツを決定する。該決定および該個人的コンテンツは、図２Ａ〜図２Ｄに関して記述されたのと同様であり得る。
【００９９】
ブロック506において、該装置は、第二視認者がディスプレイの少なくとも一部分を視覚的に認識し得ないことを表す情報を受信する。該受信段階、および、視覚的に認識することの不能性は、図２Ａ〜図２Ｄ、図３、および、図４Ａ〜図４Ｂに関して記述されたのと同様であり得る。
【０１００】
ブロック508において、該装置は、該第一視認者用個人的コンテンツの表示を惹起する。該第一視認者用個人的コンテンツの表示を惹起する段階は、少なくとも部分的に、第二視認者がディスプレイの少なくとも一部分を視覚的に認識し得ないことに基づき得る。該表示は、図２Ａ〜図２Ｄに関して記述されたのと同様であり得る。
【０１０１】
ブロック510において、該装置は、第二視認者がディスプレイの少なくとも一部分を視覚的に認識し得ることを表す情報を受信する。該受信段階、および、視覚的に認識する能力性は、図２Ａ〜図２Ｄ、図３、および、図４Ａ〜図４Ｂに関して記述されたのと同様であり得る。
【０１０２】
ブロック512において、該装置は、第一視認者用個人的コンテンツの表示を終結する。該第一視認者用個人的コンテンツの表示の該終結段階は、少なくとも部分的に、第二視認者がディスプレイの少なくとも一部分を視覚的に認識し得ることに基づき得る。該終結段階は、図２Ａ〜図２Ｄに関して記述されたのと同様であり得る。
【０１０３】
図６は、少なくとも一つの例示的実施形態に係る個人的コンテンツの表示の排除に関連する動作を例示するフローチャートである。少なくとも一つの例示的実施形態においては、図６の動作に対応する一群の機能作用が在る。たとえば、図１の電子装置10などの装置、または、その一部は、該一群の機能作用を利用し得る。該装置は、斯かる機能作用を実施するための、たとえば図１のプロセッサ11などの手段を備えて成り得る。例示的実施形態において、たとえば、図１の電子装置10などの装置は、該装置に図６の一群の機能作用を実施させるべく、たとえば図１のプロセッサ11などのプロセッサと協働すべく構成されたコンピュータ・コードを備えて成る、たとえば図１のメモリ12などのメモリを有することにより、改変される。
【０１０４】
幾つかの状況においては、ディスプレイ上での個人的コンテンツの表示を排除することが好適であり得る。たとえば、個人的コンテンツに対して関連付けられた視認者は、該ディスプレイの少なくとも一部分を視認し得ないことがあり得る。
【０１０５】
ブロック602において、該装置は、ディスプレイ上での表示のために、第一視認者に対して関連付けられた第一視認者用個人的コンテンツを決定する。該決定段階、該第一視認者、該個人的コンテンツ、および、該表示は、図１および図２Ａ〜図２Ｄに関して記述されたのと同様であり得る。
【０１０６】
ブロック604において、該装置は、該第一視認者および第二視認者を表す情報を受信する。該受信段階、および、該第二視認者は、図２Ａ〜図２Ｄおよび図４Ａ〜図４Ｂに関して記述されたのと同様であり得る。
【０１０７】
ブロック606において、該装置は、該第一視認者が該ディスプレイを認識し得るか否かを決定する。該決定段階は、少なくとも部分的に、第一視認者がディスプレイの少なくとも一部分を視覚的に認識し得ないことを表す情報を受信する段階に基づき得る。もし、該装置が、第一視認者がディスプレイを認識し得ると決定したなら、フローは図６のブロック608へと進展する。もし、該装置が、第一視認者はディスプレイを認識し得ないと決定したなら、フローは、図６のブロック612へと進展する。該決定段階、および、視覚的に認識する能力性は、図２Ａ〜図２Ｄ、図３、および、図４Ａ〜図４Ｂに関して記述されたのと同様であり得る。
【０１０８】
ブロック608にて、該装置は、該第二視認者がディスプレイを認識し得るか否かを決定する。該決定段階は、少なくとも部分的に、第二視認者がディスプレイの少なくとも一部分を視覚的に認識し得ないことを表す情報を受信する段階に基づき得る。もし、該装置が、該第二視認者は該ディスプレイを認識し得ると決定したなら、フローは図６のブロック612へと進展する。もし、該装置が、該第二視認者は該ディスプレイを認識し得ないと決定したなら、フローは図６のブロック610へと進展する。該決定段階、および、視覚的に認識する能力性は、図２Ａ〜図２Ｄ、図３、および、図４Ａ〜図４Ｂに関して記述されたのと同様であり得る。
【０１０９】
ブロック610にて、該装置は、該第一視認者用個人的コンテンツの表示を惹起する。該第一視認者用個人的コンテンツの表示を惹起する段階は、少なくとも部分的に、第一視認者がディスプレイの少なくとも一部分を視覚的に認識し得ることに基づき得る。該第一視認者用個人的コンテンツの表示を惹起する段階は、少なくとも部分的に、第二視認者がディスプレイの少なくとも一部分を視覚的に認識し得ないことに基づき得る。該表示段階は、図２Ａ〜図２Ｄに関して記述されたのと同様であり得る。
【０１１０】
ブロック612にて、該装置は、該第一視認者用個人的コンテンツの表示を排除および／または終結する。該第一視認者用個人的コンテンツの表示の該終結および／または排除は、少なくとも部分的に、第一視認者がディスプレイの少なくとも一部分を視覚的に認識し得ないことに基づき得る。該第一視認者用個人的コンテンツの表示の終結および／または排除は、少なくとも部分的に、第二視認者がディスプレイの少なくとも一部分を視覚的に認識し得ることに基づき得る。該終結段階および排除段階は、図２Ａ〜図２Ｄに関して記述されたのと同様であり得る。
【０１１１】
図７は、少なくとも一つの例示的実施形態に係る非個人的コンテンツの表示法に関連する動作を例示するフローチャートである。少なくとも一つの例示的実施形態においては、図７の動作に対応する一群の機能作用が在る。たとえば、図１の電子装置10などの装置、または、その一部は、一群の機能作用を利用し得る。該装置は、斯かる機能作用を実施するための、たとえば図１のプロセッサ11などの手段を備えて成り得る。例示的実施形態において、たとえば、図１の電子装置10などの装置は、該装置に図７の一群の機能作用を実施させるべく、たとえば図１のプロセッサ11などのプロセッサと協働すべく構成されたコンピュータ・コードを備えて成る、たとえば図１のメモリ12などのメモリを有することにより、改変される。
【０１１２】
先に記述された如く、幾つかの状況において、非個人的コンテンツを表示することが好適であり得る。
【０１１３】
ブロック702において、該装置は、ディスプレイ上に、非個人的コンテンツの表示を惹起する。該表示および非個人的コンテンツは、図１および図２Ａ〜図２Ｄに関して記述されたのと同様であり得る。
【０１１４】
ブロック704において、該装置は、図５のブロック502に関して記述されたのと同様に、第一視認者がディスプレイの少なくとも一部分を視覚的に認識し得ることを表す情報、および、第二視認者がディスプレイの少なくとも一部分を視覚的に認識し得ることを表す情報を受信する。ブロック706にて、該装置は、図５のブロック504に関して記述されたのと同様に、第一視認者に対して関連付けられた第一視認者用個人的コンテンツを決定する。ブロック708にて、該装置は、図５のブロック506に関して記述されたのと同様に、第二視認者がディスプレイの少なくとも一部分を視覚的に認識し得ないことを表す情報を受信する。ブロック710にて、該装置は、図５のブロック508に関して記述されたのと同様に、少なくとも部分的に、第二視認者がディスプレイの少なくとも一部分を視覚的に認識し得ないことに基づき、第一視認者用個人的コンテンツの表示を惹起する。ブロック712にて、該装置は、図５のブロック510に関して記述されたのと同様に、第二視認者がディスプレイの少なくとも一部分を視覚的に認識し得ることを表す情報を受信する。ブロック714にて、該装置は、図５のブロック512に関して記述されたのと同様に、少なくとも部分的に、第二視認者がディスプレイの少なくとも一部分を視覚的に認識し得ることに基づき、該第一視認者用個人的コンテンツの表示を終結する。
【０１１５】
図８は、少なくとも一つの例示的実施形態に係る個人的コンテンツの表示法に関連する動作を例示するフローチャートである。少なくとも一つの例示的実施形態において、図８の動作に対応する一群の機能作用が在る。たとえば、図１の電子装置10などの装置、または、その一部は、該一群の機能作用を利用し得る。該装置は、斯かる機能作用を実施するための、たとえば図１のプロセッサ11などの手段を備えて成り得る。例示的実施形態において、たとえば、図１の電子装置10などの装置は、該装置に図８の一群の機能作用を実施させるべく、たとえば図１のプロセッサ11などのプロセッサと協働すべく構成されたコンピュータ・コードを備えて成る、たとえば図１のメモリ12などのメモリを有することにより、改変される。
【０１１６】
先に記述された如く、幾つかの状況において、特定の個人的コンテンツは特定の視認者に対して関連付けられ得ると共に、異なる個人的コンテンツは異なる視認者に対して関連付けられ得る。先に記述された如く、これらの如き状況において、個人的コンテンツの表示は、該個人的コンテンツが、それに対して関連付けられた視認者によってのみ視認され得るという状況に制限することが好適であり得る。
【０１１７】
ブロック802において、該装置は、図５のブロック502に関して記述されたのと同様に、第一視認者がディスプレイの少なくとも一部分を視覚的に認識し得ることを表す情報、および、第二視認者がディスプレイの少なくとも一部分を視覚的に認識し得ることを表す情報を受信する。ブロック804にて、該装置は、該第二視認者に対して関連付けられた第二視認者用個人的コンテンツを決定する。該決定段階、および、該個人的コンテンツは、図２Ａ〜図２Ｄに関して記述されたのと同様であり得る。
【０１１８】
ブロック806にて、該装置は、図５のブロック504に関して記述されたのと同様に、該第一視認者に対して関連付けられた第一視認者用個人的コンテンツを決定する。ブロック808にて、該装置は、図５のブロック506に関して記述されたのと同様に、第二視認者がディスプレイの少なくとも一部分を視覚的に認識し得ないことを表す情報を受信する。ブロック810にて、該装置は、図５のブロック508に関して記述されたのと同様に、少なくとも部分的に、第二視認者がディスプレイの少なくとも一部分を視覚的に認識し得ないことに基づき、第一視認者用個人的コンテンツの表示を惹起する。ブロック812において、該装置は、図５のブロック510に関して記述されたのと同様に、第二視認者がディスプレイの少なくとも一部分を視覚的に認識し得ることを表す情報を受信する。ブロック814において、該装置は、図５のブロック512に関して記述されたのと同様に、少なくとも部分的に、第二視認者がディスプレイの少なくとも一部分を視覚的に認識し得ることに基づき、該第一視認者用個人的コンテンツの表示を終結する。
【０１１９】
ブロック816にて、該装置は、第一視認者がディスプレイの少なくとも一部分を視覚的に認識し得ないことを表す情報を受信する。該受信段階、および、視覚的に認識することの不能性は、図２Ａ〜図２Ｄ、図３、および、図４Ａ〜図４Ｂに関して記述されたのと同様であり得る。
【０１２０】
ブロック818にて、該装置は、第二視認者用個人的コンテンツの表示を惹起する。該第二視認者用個人的コンテンツの表示を惹起する段階は、少なくとも部分的に、第一視認者がディスプレイの少なくとも一部分を視覚的に認識し得ないことに基づき得る。該表示段階は、図２Ａ〜図２Ｄに関して記述されたのと同様であり得る。
【０１２１】
ブロック820にて、該装置は、第一視認者がディスプレイの少なくとも一部分を視覚的に認識し得ることを表す情報を受信する。該受信段階、および、視覚的に認識する能力性は、図２Ａ〜図２Ｄ、図３、および、図４Ａ〜図４Ｂに関して記述されたのと同様であり得る。
【０１２２】
ブロック822において、該装置は、第二視認者用個人的コンテンツの表示を終結する。該第二視認者用個人的コンテンツの表示の該終結段階は、少なくとも部分的に、第一視認者がディスプレイの少なくとも一部分を視覚的に認識し得ることに基づき得る。該終結段階は、図２Ａ〜図２Ｄに関して記述されたのと同様であり得る。
【０１２３】
本発明の各実施形態は、ソフトウェア、ハードウェア、アプリケーション・ロジック、または、ソフトウェアとハードウェアとアプリケーション・ロジックとの組み合わせ物において実現され得る。該ソフトウェア、アプリケーション・ロジック、および／または、ハードウェアは、該装置、別体的デバイス、または、複数の別体的デバイス上に存在し得る。所望であれば、該ソフトウェア、アプリケーション・ロジック、および／または、ハードウェアの一部は、該装置上に存在し得、該ソフトウェア、アプリケーション・ロジック、および／または、ハードウェアの一部は、別体的デバイス上に存在し得、且つ、該ソフトウェア、アプリケーション・ロジック、および／または、ハードウェアの一部は、複数の別体的デバイス上に存在し得る。例示的実施形態において、該アプリケーション・ロジック、ソフトウェア、または、命令群は、種々の習用のコンピュータ可読媒体の任意のものにおいて維持される。
【０１２４】
所望であれば、本明細書において論じられた種々の機能は、異なる順序で、および／または、相互に同時的に実施され得る。たとえば、図８のブロック804は、図８のブロック806の後に実施され得る。更に、所望であれば、上述の機能の一つ以上は、選択的であり得るか、組み合わされ得る。たとえば、図８のブロック804は、選択的であり得、且つ／又は、図８のブロック806と組み合わされ得る。
【０１２５】
本発明の種々の見地は、独立請求項において示されるが、本発明の他の見地は、記述された実施形態および／または従属請求項からの特徴と、独立請求項の特徴との別の組み合わせを備えて成り、各請求項中に明示的に示された組み合わせだけではない。
【０１２６】
本明細書において、上記内容は本発明の例示的実施形態を記述しているが、これらの記述は限定的な意味で考察されるべきでないことも銘記されたい。寧ろ、添付の各請求項中に定義された本発明の有効範囲から逸脱せずに為され得る変更例および改変例が在る。
【図１】
2018507432.tif 000003
【図２Ａ】
2018507432.tif 000004
【図２Ｂ】
2018507432.tif 000005
【図２Ｃ】
2018507432.tif 000006
【図２Ｄ】
2018507432.tif 000007
【図３】
2018507432.tif 000008
【図４Ａ】
2018507432.tif 000009
【図４Ｂ】
2018507432.tif 000010
【図５】
2018507432.tif 000011
【図６】
2018507432.tif 000012
【図７】
2018507432.tif 000013
【図８】
2018507432.tif 000014
【国際調査報告】
2018507432.tif 000015
2018507432.tif 000016